(57)【要約】【課題】可動框によるスクリーンの開閉操作に伴って、スクリーンの端部が固定される側枠及び可動框の一方における下端から出入りするスクリーンガイドに下端を安定的に保持させるとともに、巻軸のスクリーン枠の見付方向に沿う移動をより円滑化して、スクリーンの開閉操作の安定化及び円滑化を図る。【解決手段】横枠４にガイドされて横移動する可動框１２及び巻軸１６を備える。側枠６と可動框１２との間に巻軸１６に巻き取られるスクリーン１４Ａ，１４Ｂを張設する。スクリーン１４Ｂの端部が固定される可動框１２の下端から出入りするスクリーンガイド１８の一端を側枠６の下端に固定する。スクリーンガイド１８に巻軸１６及びスクリーン１４Ａ，１４Ｂの各下端をスクリーンの張設面と直交する方向にのみガイドさせる。【選択図】図１
2008223259.tif 000002
【特許請求の範囲】
【請求項１】
スクリーン枠の上部横枠にガイドされて横移動する可動框及びスプリングによる巻取機能を付与したスクリーンの巻軸を備え、上記スクリーン枠における一方の側枠と上記可動框との間に、中間に位置する上記巻軸に上記スプリングの付勢力で巻き取られるスクリーンを張設するようにしたスクリーン装置において、
上記スクリーンの端部が固定される側枠及び可動框の一方における下端から可動框の横移動に伴って出入りする可撓のスクリーンガイドの一端を、上記側枠及び可動框の他方における下端に固定し、
上記スクリーンガイドに、前記巻軸及びスクリーンの各下端をスクリーンの張設面と直交する方向にのみ拘束してガイドさせた、
ことを特徴とするスクリーン装置。
【請求項２】
上記スクリーンガイドを、上記可動框の横移動に伴って該可動框の下端からその内部に出入りするものとして、該スクリーンガイドの一端を上記スクリーンの端部が固定されている側枠の下端に固定した、
ことを特徴とする請求項１に記載のスクリーン装置。
【請求項３】
スクリーンの端部が固定される側枠と可動框との間の対向部に、上記巻軸に巻き取ったスクリーンを該巻軸とともに収容する収納部を形成した、
ことを特徴とする請求項１または２に記載のスクリーン装置。
【請求項４】
上記可動框の姿勢をその移動に際して一定に拘束する該可動框の平行移動機構を、上記スクリーン枠と可動框との間に張設されたワイヤー及び該ワイヤーを先端に連結した上記スクリーンガイドにより構成した、
ことを特徴とする請求項１〜３のいずれかに記載のスクリーン装置。
【請求項５】
上記ワイヤーの一部に、側枠または可動框の下端からそれらの内部に導入されているスクリーンガイドの重量をバランスさせるための重錘を取り付けた、
ことを特徴とする請求項４に記載のスクリーン装置。
【請求項６】
上記可動框は上部横枠に吊下することなく上下の横枠にガイドさせ、上記巻軸は上部横枠に吊車を有する吊部材で上吊りするとともに下端をスクリーンガイドに遊動自在に保持させた、
ことを特徴とする請求項４または５に記載のスクリーン装置。
【請求項７】
上記スクリーンを、その中間に設けた複数の巻軸に巻き取られる複数のスクリーン群で構成した、
ことを特徴とする請求項１〜６のいずれかに記載のスクリーン装置。
【発明の詳細な説明】
【技術分野】
【０００１】
本発明は、スクリーン枠の上部横枠にガイドされて横移動する可動框及び巻取機能を付与したスクリーンの巻軸を備え、上記スクリーン枠における一方の側枠と上記可動框との間に、中間に位置する上記巻軸に巻き取られるスクリーンを張設することにより構成されて、建物の開口枠に、防虫、防塵、遮光、断熱、又は目隠し等を目的として装着されるスクリーン装置に関するものである。
【背景技術】
【０００２】
スクリーン枠の横枠にガイドされて横移動する可動框及びスクリーンの巻軸を備え、上記スクリーン枠における一方の側枠と上記可動框との間に、中間に位置する上記巻軸にスプリングの付勢力で巻き取られるスクリーンを張設したスクリーン装置は、例えば、特許文献１に開示されているようなものが従来より知られている。
ところが、上記従来のスクリーン装置は、可動框によるスクリーンの開閉操作に応動してスクリーン枠の一方の側枠に導出入りされる上下一対のスクリーンガイドに、上記スクリーンの巻軸の上下端部が摺動自在ではあるが係合保持されているため、スクリーンの開閉操作に伴うスクリーンガイドと巻軸との相対移動によって、該巻軸のスクリーン開閉方向に沿う移動が不円滑になり、延いてはスクリーンの開閉操作が不円滑になってしまう虞がある。
【特許文献１】特開２００５−３５１０４６号公報
【発明の開示】
【発明が解決しようとする課題】
【０００３】
如上に鑑みて、本発明の技術的課題は、スクリーン枠の上部横枠にガイドされて横移動する可動框及び巻取機能を付与したスクリーンの巻軸を備え、上記スクリーン枠における一方の側枠と上記可動框との間に、中間に位置する上記巻軸に巻き取られるスクリーンを張設するようにしたスクリーン装置において、上記可動框によるスクリーンの開閉操作に伴って、スクリーンの端部が固定される側枠及び可動框の一方における下端から出入りするスクリーンガイドに下端を安定的に保持させるとともに、該巻軸における上記スクリーン枠の見付方向に沿う移動をより円滑に行えるように構成することにより、上記スクリーンの開閉操作を安定的に且つ円滑に行えるようにすることにある。
本発明の他の技術的課題は、上記巻軸の移動の円滑化ばかりでなく、上記スクリーンの開閉操作に供する可動框を、上記スクリーン枠に対して安定的に平行移動させることができるように構成することにより、該可動框によるスクリーンの開閉操作をより安定化させたスクリーン装置を提供することにある。
【課題を解決するための手段】
【０００４】
上記課題を解決するため、本発明は、スクリーン枠の上部横枠にガイドされて横移動する可動框及びスプリングによる巻取機能を付与したスクリーンの巻軸を備え、上記スクリーン枠における一方の側枠と上記可動框との間に、中間に位置する上記巻軸に上記スプリングの付勢力で巻き取られるスクリーンを張設するようにしたスクリーン装置において、上記スクリーンの端部が固定される側枠及び可動框の一方における下端から可動框の横移動に伴って出入りする可撓のスクリーンガイドの一端を、上記側枠及び可動框の他方における下端に固定し、上記スクリーンガイドに、前記巻軸及びスクリーンの各下端をスクリーンの張設面と直交する方向にのみ拘束してガイドさせたことを特徴とするものである。
【０００５】
本発明に係るスクリーン装置の好ましい実施形態においては、上記スクリーンガイドを、上記可動框の横移動に伴って該可動框の下端からその内部に出入りするものとして、該スクリーンガイドの一端が上記スクリーンの端部が固定されている側枠の下端に固定される。
本発明に係るスクリーン装置の他の好ましい実施形態においては、スクリーンの端部が固定される側枠と可動框との間の対向部に、上記巻軸に巻き取ったスクリーンを該巻軸とともに収容する収納部が形成される。
本発明に係るスクリーン装置の他の好ましい実施形態においては、上記可動框の姿勢をその移動に際して一定に拘束する該可動框の平行移動機構が、上記スクリーン枠と可動框との間に張設されたワイヤー及び該ワイヤーを先端に連結した上記スクリーンガイドにより構成され、この場合、上記ワイヤーの一部に、側枠または可動框の下端からそれらの内部に導入されているスクリーンガイドの重量をバランスさせるための重錘を取り付けることができ、また、上記可動框は上部横枠に吊下することなく上下の横枠にガイドさせ、上記巻軸は上部横枠に吊車を有する吊部材で上吊りするとともに下端をスクリーンガイドに遊動自在に保持させるのが望ましい。
本発明に係るスクリーン装置の他の好ましい実施形態においては、上記スクリーンが、その中間に設けた複数の巻軸に巻き取られる複数のスクリーン群で構成される。
【発明の効果】
【０００６】
以上に詳述した本発明に係るスクリーン装置によれば、スクリーン枠における一方の側枠と上部横枠にガイドされて横移動する可動框との間に、巻軸に巻き取られるスクリーンを張設したスクリーン装置において、スクリーンの端部が固定される側枠及び可動框の一方における下端から出入りするスクリーンガイドに、上記巻軸及びスクリーンの各下端を安定的に保持可能とするとともに、該巻軸のスクリーン枠に沿う移動をより円滑に行えるように構成することにより、上記スクリーンの開閉操作を安定的に且つ円滑に行うことができる。
【発明を実施するための最良の形態】
【０００７】
以下に、本発明のスクリーン装置を実施するための最良の形態を、図面に基づいて詳細に説明する。なお、以下に説明する各実施例においては、本発明に係るスクリーン装置を防虫網戸に適用した場合について示しているが、本発明に係るスクリーン装置は、防虫を目的とするものに限定されず、防塵、遮光、断熱又は目隠し等を目的としたスクリーン装置にも適用することができるものである。
【０００８】
図１〜図４は、本発明に係るスクリーン装置の第１実施例を示している。このスクリーン装置は、図１に示すように、上部の横枠４、左右の側枠６，８及び下部の横枠１０からなるスクリーン枠２内に、上部の横枠４にガイドされて横移動する可動框１２、並びにコイルスプリング１６ａの回転付勢力による巻取機能が付与されたスクリーン１４Ａ，１４Ｂの巻軸１６を備えており、スクリーン１４Ａの一端を固定した上記側枠６とスクリーン１４Ｂの一端を固定した上記可動框１２との中間に位置する上記巻軸１６に、それらの両スクリーン１４Ａ，１４Ｂの各他端を固定することにより、該巻軸１６に両スクリーン１４Ａ，１４Ｂが巻き取られるように構成したものである。そして、上記可動框１２の横移動に伴ってその下端から出入りする可撓のスクリーンガイド１８の一端を、上記スクリーン１４Ａの端部が固定された側枠６の下端に固定し、該スクリーンガイド１８に上記巻軸１６及びその両側のスクリーン１４Ａ，１４Ｂの各下端を遊動自在にガイドさせている。
【０００９】
上記可動框１２は、図２に示すように、スクリーン枠２を構成する上部横枠４に吊車を備えた吊部材等のスライド移動のための手段によって吊支されることなく、その上下端をそれぞれ上下の横枠４，１０に単に摺動自在にガイドさせている。具体的には、上記可動框１２の上端においては、下面側に開口する上部横枠４における対向する一対のガイド壁４ａに該可動框１２の両側面をガイドされており、一方、該可動框１２の下端においては、その下面両側から垂下させた対向する一対の係合壁１２ａを、該可動框１２及びスクリーンガイド１８のガイドレールとしての下部横枠１０の両側縁１０ａに係合させるとともに、該可動框１２の下面に設けた一対の転動子１２ｂが下部横枠１０の上面を転動するようにしている。なお、下部横枠１０は必ずしも設ける必要がなく、上記転動子１２ｂを直接床面上に転動させることができる。
【００１０】
上記一対のスクリーン１４Ａ，１４Ｂは、それぞれ略同丈同幅の防虫網からなり、それらのスクリーン１４Ａ，１４Ｂの各一端を上記スクリーン枠２を構成する一方の側枠６及び可動框１２にそれぞれ固定するとともに、両スクリーン１４Ａ，１４Ｂの各他端をそれらの中間に位置する上記巻軸１６にそれぞれ固定することにより、該巻軸１６に内蔵されたコイルスプリング１６ａの回転付勢力によって、該巻軸１６に巻き取り及び繰り出し自在に巻回されている。
また、上記巻軸１６の上端には、図１及び図３に示すように、該巻軸１６に対して回転自在の連結手段を介して、一対の吊車２０ａを備えた吊部材２０が付設されており、該吊車２０ａを上部横枠４における一対のガイド壁４ａの各内面に対向して立設したガイドレール４ｂ上に転動自在に係合させることにより、上記巻軸１６を上部横枠４に対して移動自在に吊支させている。なお、巻軸１６の下端は、後述するように、単にスクリーンガイド１８に遊動自在に保持させている。
【００１１】
一方、図４に示すように、上記可動框１２における上記スクリーン１４Ｂの取付部の両側には、該スクリーン１４Ｂの取付端に付設した取付板２２を係止させるための内側に相対向する一対の係止部片１２ｃが形設されており、該係止部片１２ｃの形設部分から上記側枠６の方向に、外側に略鉤形に折曲する一対の袖壁１２ｄを延設することにより、上記巻軸１６に巻き取ったスクリーン１４Ａ，１４Ｂを該巻軸１６とともに収容するための収納部を形成している。それにより、上記可動框１２を図５に示すようなスクリーン１４Ａ，１４Ｂの全収納位置（全開放位置）まで横移動させたときに、該スクリーン１４Ａ，１４Ｂを巻軸１６に巻き取った状態で上記袖壁１２ｄにより外部から遮蔽することができる。
なお、上記収納部を構成する袖壁１２ｄは、上記可動框１２におけるスクリーン１４Ｂの取付部に形成するものに限定されず、該可動框１２と相対峙するルスクリーン枠２の側枠６におけるスクリーン１４Ａの取付部にその全部または一部を形成したものとして構成することもできる。
【００１２】
上記スクリーンガイド１８は、図１、図３及び図４に示すように、合成樹脂で形成した多数のガイド駒１８Ａを可撓性を有するワイヤー１８Ｂで連結することにより、長尺且つ湾曲可能に形成されており、該スクリーンガイド１８の一端が上記側枠６の下端に固定され、その他端側が上記可動框１２の横移動に伴って該可動框１２の下端に開設された開口１２ｅからその内部に湾曲して出入りするように構成されている。そして、上記可動框１２によるスクリーンの展張操作によって上記巻軸１６からスクリーン１４Ａ，１４Ｂが繰り出されると、上記スクリーンガイド１８が可動框１２内から下部横枠１０上にスクリーン１４Ａ，１４Ｂの各下端に沿って直線的に導出されて、上記巻軸１６及びスクリーン１４Ａ，１４Ｂの各下端をガイドするようになっている。
なお、上述したように、上記可動框１２にスクリーン１４Ａ，１４Ｂを巻き取った状態の巻軸１６を収容する収納部を設けて見付方向の幅を大きくしておくと、該可動框１２の下端における上記スクリーンガイド１８の屈曲回転の曲率半径を大きくすることができるので、上記可動框１２の横移動に伴う該スクリーンガイド１８の屈曲を円滑化することができる。
【００１３】
ここで、上記スクリーンガイド１８は、その一端を上記側枠６の下端に固定して、その他端側が上記可動框１２の内部に湾曲して出入りするように構成したものに限定されるものではなく、図１０を参照して後述するように、その一端を可動框１２の下端に固定して、その他端側がスクリーン枠２におけるスクリーン１４Ａの端部を固定した側枠６の内部に湾曲して出入りするように構成することもできる。この場合、上記側枠６は、スクリーンガイド１８が出入りできる程度の大きさの中空に形成する必要があるのはいうまでもない。
【００１４】
上記スクリーンガイド１８を構成するガイド駒１８Ａは、図３及び図４に示すように、スクリーン１４Ａ，１４Ｂの下端に沿う底部１８ａと該スクリーンの外面に沿って立ち上がる立壁部１８ｂとにより略Ｕ字状に形成したもので、該ガイド駒１８Ａにおける立壁部１８ｂの先端部に沿って、ワイヤー１８Ｂを挿通する通孔を設け、それぞれのガイド駒１８Ａの該通孔に上記ワイヤー１８Ｂを挿通することにより、各ガイド駒１８Ａを回転可能に連結している。なお、図示は省略しているが、上記ワイヤー１８Ｂの両端部には、上記スクリーンガイド１８の両端のガイド駒１８Ａの外側端において、それぞれストッパー部材を付設して、各ガイド駒１８Ａがワイヤー１８Ｂから抜脱しないようにしている。上記一対の立壁部１８ｂは、それらの間にスクリーン１４Ａ，１４Ｂを保持するだけでなく、巻軸１６の下端を遊動自在に保持するものである。
【００１５】
上記可動框１２には、図１に示すように、該可動框１２の横移動によるスクリーン１４Ａ，１４Ｂの開閉操作時に、該可動框１２の姿勢をその移動に際して一定に拘束し、該可動框１２を安定的に平行移動させるための平行移動機構を付設している。この可動框１２の平行移動機構は、上記スクリーンガイド１８を利用したもので、上記スクリーン枠２における左右の側枠６，８と可動框１２との間に張設された第１のワイヤー２４Ａ及び第２のワイヤー２４Ｂを、上記スクリーンガイド１８における上記可動框１２の内部に導入される側の先端のガイド駒１８Ａに付設した固定部材２６に連結することにより構成している。
【００１６】
上記可動框１２の平行移動機構を構成する第１及び第２のワイヤー２４Ａ，２４Ｂの張設態様について具体的に説明すると、図６に概念的に示すように、上記第１のワイヤー２４Ａは、その一端が上記可動框１２の内部においてスクリーンガイド１８の先端のガイド駒１８Ａに付設した固定部材２６に固定されており、その他端を該可動框１２の上端部へと導き、そして、該可動框１２の上端部において転向して、上部横枠４に沿って側枠８の上端部に架け渡したうえで、該側枠８の内部において該ワイヤー２４Ａの張力を調節可能に固定している。
【００１７】
一方、上記第２のワイヤー２４Ｂは、上記第１のワイヤー２４Ａと同様に、その一端が上記可動框１２の内部においてスクリーンガイド１８の先端の固定部材２６に固定されており、その他端を可動框１２の下端部へと導くとともに、該可動框１２の下端部において折り返して該可動框１２の内部をその上端部へと導き、次いで、該可動框１２の上端部において転向して、上部横枠４に沿って側枠６の上端部へと架け渡し、さらに、該側枠６の上端部の挿通孔６ａに挿通して折り返して、上部横枠４に沿ってもう一方の側枠８の上端部に架け渡したうえで、該側枠８の内部において該ワイヤー２４Ｂの張力を調節可能に固定している。
なお、上述したように、上記第２のワイヤー２４Ｂは必ずしも上記側枠８まで導く必要はなく、側枠６の上端に固定することもできるが、上記第１及び第２のワイヤー２４Ａ，２４Ｂの端部を側枠８において近接して固定することにより、それらのワイヤー２４Ａ，２４Ｂの張力調整等を一括して容易に行うことができる。
【００１８】
このように構成することにより、上記可動框１２をスクリーン枠２に対して安定的に平行移動させることができ、延いては該可動框１２によるスクリーン１４Ａ，１４Ｂの開閉操作をより安定化させることができる。
なお、上記第１及び第２のワイヤー２４Ａ，２４Ｂは、上記可動框１２及び巻軸１６等との干渉を避けるため、図２，図３及び図６に示すように、上部横枠４における両ガイド壁４ａの内側のガイドレール４ｂに近接した位置で、且つスクリーン枠２の表裏両側に偏位した位置に架け渡すのが適切である。
【００１９】
上記構成を有するスクリーン装置においては、可動框の姿勢が上記平行移動機構により一定に保持され、その可動框１２と一方の側枠６との間に張設されるスクリーン１４Ａ，１４Ｂに対して、巻軸１６内のコイルスプリング１６ａによる巻取り方向の付勢力が作用しているので、逆に上記巻軸１６はコイルスプリング１６ａの付勢力でスクリーンの張設面内における姿勢が保持されることになる。なお、巻軸１６の軸線方向の移動は該巻軸１６の自重により拘束されている。
したがって、巻軸１６の姿勢は、その下端部がスクリーンの張設面に対して直交する方向にのみ移動して傾動できるものであるが、その巻軸１６の下端を前述したようにスクリーンガイド１８におけるガイド駒１８Ａの一対の立壁部１８ｂ間に遊動自在に保持させると、該巻軸１６は他部材と強く接触したりすることなくその姿勢が安定化し、延いては巻軸１６によるスクリーン１４Ａ，１４Ｂの巻取り、巻戻しが円滑化し、スクリーンの開閉を軽快に行うことが可能となる。しかも、上記スクリーンガイド１８は、可動框１２によるスクリーン１４Ａ，１４Ｂの開閉操作に伴って、該可動框１２の下端から出入し、上記巻軸１６及びスクリーン１４Ａ，１４Ｂの下端に対して相対移動するものでありながら、それらの各下端を安定的に保持させることができる。
【００２０】
また、上記スクリーン枠２と可動框１２との間に張設された第１及び第２ワイヤー２４Ａ，２４Ｂを、上記スクリーンガイド１８の先端のガイド駒１８Ａに付設した固定部材２６に連結することにより、上記可動框１２に平行移動機構を付設したものとして構成しているが、上記平行移動機構を構成するワイヤーの張設態様は、上述した第１実施例のものに限定されるものではなく、例えば、以下の第２〜４実施例に示す張設態様とすることができる。
すなわち、図７に示す第２実施例においては、上記可動框１２の平行移動機構を構成するワイヤー２４は、上記第１実施例における第１及び第２のワイヤー２４Ａ，２４Ｂの上記側枠８内の固定端を該側枠８の内部の同一箇所に張力調整可能に固定し、あるいは両ワイヤー２４Ａ，２４Ｂの端部を連結して上記側枠８の内部に張力調整可能に固定することにより、実質的に１本のワイヤー２４として構成したものである。
【００２１】
次に、図８に示す第３実施例における可動框１２の平行移動機構は、第１のワイヤー２４Ａの張設態様は前記第１実施例と同様としているが、上記第２のワイヤー２４Ｂを、上記スクリーン枠２の側枠８まで架け渡すことなく、該側枠８に対向する側枠６の内部に張力調整可能に固定し、あるいは重錘を吊下可能にしたものである。すなわち、上記第２のワイヤー２４Ｂの一端は、スクリーンガイド１８の先端のガイド駒１８Ａに付設した固定部材２６に固定されており、その他端を上記可動框１２の下端部へと導くとともに、該可動框１２の下端部において折り返して該可動框１２の内部をその上端部へと導き、次いで、該可動框１２の上端部において転向して、上部横枠４に沿って側枠６の上端部へと架け渡したうえで該側枠６の下方に導き、該側枠６の内部において張力調整可能に固定している。このように構成することにより、上記可動框１２及びスクリーン枠２に対する上記ワイヤー２４Ｂの架け渡しを簡素化することができる。
【００２２】
図９に示す第４実施例における可動框１２の平行移動機構は、前記第２実施例におけるワイヤー２４の張設態様と略同様としたものであるが、側枠８内において該ワイヤー２４を張力調整可能に固定することなく、該ワイヤー２４に重錘２８を吊下することにより、上記可動框１２の下端からその内部に導入されているスクリーンガイド１８の重量をバランスさせたものである。すなわち、上記平行移動機構を構成するワイヤー２４には、上記スクリーンガイド１８が可動框１２の下端から出入りする部分の摩擦力を主体とし、ワイヤー２４の架け渡しによって生じる摩擦力等を含むところの上記巻軸１６のコイルスプリング１６ａの回転付勢力に対する抵抗力が作用し、それに対して上記巻軸１６のコイルスプリング１６ａの回転付勢力が対抗するが、可動框１２内に導入されているスクリーンガイド１８の重量も無視できないことがあり、そのため、それらの力がバランスする程度に上記重錘２８の重量を設定して両者を拮抗させることにより、上記可動框１２を任意の中間位置に安定的に停止させることが可能になる。
【００２３】
ここで、上述した各実施例においては、上記スクリーンガイド１８が、可動框１２の下端から該可動框１２の横移動に伴って出入りする場合について記載したが、図１０に示す第５実施例のように、上記スクリーンガイド１８を、可動框１２の横移動に伴ってスクリーン１４Ａの端部を固定した側枠６の下端から出入りするように構成することもできる。
【００２４】
上記第５実施例のスクリーン装置において、上記可動框１２の平行移動機構を構成する第１及び第２のワイヤー２４Ａ，２４Ｂの張設態様について具体的に説明すると、第１のワイヤー２４Ａは、その一端がスクリーン１４Ａの端部を固定した上記側枠６の内部においてスクリーンガイド１８の先端のガイド駒１８Ａに付設した固定部材２６に固定されており、その他端を該側枠６の上端部へと導き、そして、該側枠６の上端部において転向して、上部横枠４に沿って対向するもう一方の側枠８の上端部まで架け渡し、次いで、該側枠８の上端部において転向して、上部横枠４に沿って可動框１２の上端部へと戻したうえで該可動框１２の上端部において該ワイヤー２４Ａの張力を調節可能に固定している。
【００２５】
一方、上記第２のワイヤー２４Ｂは、上記第１のワイヤー２４Ａと同様に、その一端が上記側枠６の内部においてスクリーンガイド１８の先端の固定部材２６に固定されており、その他端を該側枠６の下端部へと導くとともに、該側枠６の下端部において折り返して該側枠６の内部をその上端部へと導き、次いで、該側枠６の上端部において転向して、上部横枠４に沿って上記可動框１２の上端部へと架け渡したうえで該可動框１２の上端部において該ワイヤー２４Ｂの張力を調節可能に固定している。
【００２６】
なお、上述した各実施例においては、一対のスクリーン１４Ａ，１４Ｂの各一端を上記スクリーン枠２を構成する一方の側枠６及び可動框１２にそれぞれ固定するとともに、両スクリーン１４Ａ，１４Ｂの各他端をそれらの中間に位置する１本の巻軸１６にそれぞれ固定することにより、該巻軸１６に巻き取り及び繰り出し自在に構成した場合について記載したが、そのように構成したものに限定されるものではなく、図１１の第６実施例に示すように、複数のスクリーン１４Ａ〜１４Ｃからなるスクリーン群を、各スクリーン１４Ａ〜１４Ｃの中間に位置する複数の巻軸１６Ａ，１６Ｂに巻き取られるように構成することもできる。
【００２７】
上記第６実施例のスクリーン装置においては、上記巻軸１６Ａ，１６Ｂが、その両側の各スクリーンをそれぞれ均等な長さだけ巻き取るようにするため、上記各スクリーン１４Ａ〜１４Ｃのスクリーン幅の比は、図１１からわかるように、上記スクリーン１４Ａを１とした場合、スクリーン１４Ｂは２とし、スクリーン１４Ｃは１とするのが適切である。また、上記可動框１２に形成した一対の袖壁１２ｄからなる収納部において、各スクリーン１４Ａ〜１４Ｃを巻き取った状態の両巻軸１６Ａ，１６Ｂを収容して外部から遮蔽するには不十分である場合には、図１１に示すように、上記スクリーン１４Ａの端部を固定している側枠６における該スクリーン１４Ａの取付部の両側に、上記可動框１２の袖壁１２ｄに対向して一対の袖壁６ｂを延設することにより、該可動框１２の袖壁１２ｄ及び側枠６の袖壁６ｂによって形成される収納部内に、上記両巻軸１６Ａ，１６Ｂに巻き取った各スクリーン１４Ａ〜１４Ｃを両巻軸１６Ａ，１６Ｂとともに収容して外部から遮蔽することができる。
【００２８】
ここで、上述した第２〜６実施例のその他の構成及び作用は、実質的に前記第１実施例と変わるところがないから、同一部分または相当部分に同一符号を付して、それらの説明を省略する。
【図面の簡単な説明】
【００２９】
【図１】本発明の第１実施例に係るスクリーン装置の正断面図である。
【図２】図１のＸ−Ｘ線における側断面図である。
【図３】同Ｙ−Ｙ線における側断面図である。
【図４】図１の平断面図である。
【図５】第１実施例に係るスクリーン装置における収納部内に巻軸に巻き取ったスクリーンを該巻軸とともに収容した状態を説明する平断面図である。
【図６】第１実施例に係るスクリーン装置における平行移動機構を構成するワイヤーの張設態様を概念的に示す斜視図である。
【図７】本発明の第２実施例に係るスクリーン装置における平行移動機構を構成するワイヤーの張設態様を概念的に示す斜視図である。
【図８】本発明の第３実施例に係るスクリーン装置における同ワイヤーの張設態様を概念的に示す斜視図である。
【図９】本発明の第４実施例に係るスクリーン装置において、同ワイヤーの一部にスクリーンガイドの重量等をバランスさせるための重錘を取り付けた場合における該ワイヤーの張設態様を概念的に示す斜視図である。
【図１０】本発明の第５実施例に係るスクリーン装置の正断面図である。
【図１１】本発明の第６実施例に係るスクリーン装置の平断面図である。
【符号の説明】
【００３０】
２    スクリーン枠
４    側枠（上部）
６，８    側枠
１０    横枠（下部）
１２    可動框
１４Ａ，１４Ｂ，１４Ｃ  スクリーン
１６，１６Ａ，１６Ｂ  巻軸
１８    スクリーンガイド
２０    吊部材
２０ａ  吊車
２４，２４Ａ，２４Ｂ  ワイヤー
２８    重錘
【図１】
2008223259.tif 000003
【図２】
2008223259.tif 000004
【図３】
2008223259.tif 000005
【図４】
2008223259.tif 000006
【図５】
2008223259.tif 000007
【図６】
2008223259.tif 000008
【図７】
2008223259.tif 000009
【図８】
2008223259.tif 000010
【図９】
2008223259.tif 000011
【図１０】
2008223259.tif 000012
【図１１】
2008223259.tif 000013